(57)【特許請求の範囲】
【請求項１】
少なくとも１つの電気機器と、家具本体（２）とを有する家具（１）であって、前記本体にはケーブル導管（４）が取り付けられている、前記家具において、
互いに間隔を隔てた複数のブッシング（５）が、前記ケーブル導管（４）に設けられ、もって電気ケーブル（６）を前記家具本体（２）の内部へ引き込むようになっており、
前記ブッシング（５）が、互いに間隔を隔てた複数の孔から形成され、前記孔が、前記家具本体（２）に設けた孔と整列されており、
ケーブル緊張具（１０）により張力が加えられる少なくとも１本の電気接続ケーブル（１１）が、電源用に設けられ、
前記電気接続ケーブル（１１）が、前記家具本体（２）の裏壁（３）に設けた偏向具（１２）で導かれていることを特徴とする家具。
【請求項２】
前記ケーブル導管（４）が、前記家具本体（２）の前記裏壁（３）に、ブラケットの形態にて固定されていることを特徴とする請求項１に記載の家具。
【請求項３】
前記ケーブル導管（４）が、変圧器（９）に結合されていることを特徴とする請求項１又は２に記載の家具。
【請求項４】
前記変圧器（９）が、受金具、差込接続又は摺動結合を介して、前記ケーブル導管（４）に結合されていることを特徴とする請求項３に記載の家具。
【請求項５】
前記ケーブル導管（４）が、カバーによって閉鎖可能になっていることを特徴とする請求項１〜４のいずれか一項に記載の家具。
【発明の詳細な説明】
【技術分野】
【０００１】
本発明は、少なくとも１つの電気機器と、家具本体とを有し、家具本体にはケーブル導管が取り付けられている家具に関するものである。
【背景技術】
【０００２】
家具本体に、ランプ又はドライブなどの電気機器を配置することは知られており、ケーブルは、通常、電源のために、家具本体の裏壁を通して導かれる。この目的のために、家具本体にはドリルで孔が開けられ、変圧器及びスイッチなどの電気要素が追加的に提供できる。既知の家具の電化は、ケーブルが通常緩く案内され、だらしなく見え、追加的には、いくらかの負傷のリスクを有するという不都合がある。加えて、家具本体における裏壁にはドリルで孔を開けなければならないので、取付けは、比較的複雑である。家具本体は、通常、ケーブルを置くために、壁から離すように動かさなければならない。家具を次に押し戻すと、ケーブルがもつれたり、又は、プラグの接続が外れたりする危険が存在する。
【０００３】
独国特許公報ＤＥ ２９５ ０９ ６９６号が開示している棚においては、個々の開口部が裏壁に設けられ、電気据え付けラインを通して導く。開口部は、ピボット可能なフラップと垂直なジョイントによって閉じられ、据え付けラインは、フラップに隣接して設けられる。しかしながら、これは、据え付けラインを棚に横たえるのを許容するが、ジョイントとフラップとを用いた設計は、比較的複雑である。
【発明の開示】
【発明が解決しようとする課題】
【０００４】
従って、本発明の目的は、取付けの労力が著しく減少し、安全性が改善されるような、家具の電源を設計することである。
【課題を解決するための手段】
【０００５】
この目的は、請求項１の特徴を有している家具によって達成される。
【０００６】
本発明によれば、互いに間隔を隔てた複数のブッシングが、ケーブル導管に設けられ、電気ケーブルを家具本体の内部へ導く。従って、ケーブルは、意図的にケーブル導管に導かれることができ、もはや家具本体にたるんで吊下されることはない。互いに間隔を隔てて複数のブッシングを配置することで、組立装置は、適当なブッシングを選択することができ、対応するケーブルが家具本体内に導かれる。さらに、分配器、変圧器などのさらに別の電気要素は、ケーブル導管に取り付けることができる。
【０００７】
本発明の好ましい設計によれば、ケーブル導管は、ブラケットの形態において設けられ、家具本体の裏壁に取り付けられる。従って、ケーブル導管は、取付ベースを形成し、電化を家具本体に導き、ケーブルは、ケーブル導管の中に保護されて配置される。例えば、ケーブル導管は、Ｕ字形に形成することができ、床に複数のブッシングを有することができ、これらは家具本体の孔に整列され、組立装置は、様々な箇所にて、家具本体の中にケーブルを挿入することができる。ブッシングは、所定の孔のパターンに形成されることができ、ケーブル導管の取付けは、テンプレートを用いて容易に実行されることができる。
【０００８】
ケーブル導管は、好ましくは、変圧器に結合され、変圧器は、分配器を介して、ケーブル導管に取り付けることができる。容易な取付けのために、変圧器は、ケーブル導管に結合され、及び／又は、受金具、差込接続、又は、摺動結合を介して、分配器に結合されることができる。
【０００９】
家具本体にケーブルがたるんで吊下されるのを避けるために、可能ならば、電気接続ケーブルは、好ましくは、電源のために提供され、ケーブル緊張具を介して緊張、すなわち張力が加えられる。また、接続ケーブルは、家具本体の裏壁に設けた偏向具を介して導かれ、ソケットと変圧器との間の距離を結ぶことができる。
【００１０】
さらに、ケーブル導管に溝部を導入することも可能であり、溝部のそれぞれの中に、家具本体の裏壁が挿入される。従って、家具本体の裏壁には、ドリルで孔を開ける必要はないが、むしろ、ケーブル導管は、一方において、裏壁の取付けに使用されることができ、また、他方において、電化のためにブッシングを設けることができる。ケーブル導管は、裏壁の中央に、又は、縁部に配置することができる。また、ケーブル導管は、縁部にて、家具本体の側壁に取り付けられることができる。
【００１１】
以下、本発明について、添付図面を参照して、複数の例示的な実施形態に基づいてさらに詳しく説明する。
【発明を実施するための最良の形態】
【００１２】
本発明による家具１は、家具本体２を有し、家具本体の上に又は中に、少なくとも１つの電気機器、例えば、ランプ、ドライブ、又は他の消費が配置されている。ケーブル導管４は、家具本体２の裏壁３に取り付けられ、これは、Ｕ字形のブラケットとして形成され、複数の間隔を隔てたブッシング５を有し、ブッシングを通して、１以上のケーブル６が、家具本体２の内部へ導かれることができる。
【００１３】
壁７は、ケーブル導管４に横方向に設けられ、これは、一箇所で中断し、分配器８がそこに取り付けられる。分配器８は、複数の端子を有し、その中には電気ケーブル６が差し込まれる。変圧器９は、分配器８に固定され、変圧器９と分配器８との間の電力接続は、差込接続の結合を介して、及び／又は、永久的な配線を介して得られる。変換は、異なる電圧範囲にて実行されることができ、例えば、２３０Ｖ／１２Ｖ又は２３０Ｖ／２４Ｖなどであり、また、異なる数の出力、例えば、６個又は１２個が使用される。
【００１４】
変圧器９は、ケーブル緊張具１０に結合され、その中には、電気接続ケーブル１１が部分的に巻き取られ、ケーブルは、家具本体２の裏壁３にたるんで吊下することがない。
【００１５】
さらに、ケーブル緊張具１０から間隔を隔てて、偏向具１２が配置され、電気接続ケーブル１１を、ケーブル緊張具１０から、接続ケーブル１１のプラグ１３がソケットに接続される箇所まで導く。従って、電気接続ケーブル１１は、家具本体２の裏壁３の領域において意図的に案内される。偏向具１２は、アクセサリ部品として、所望の位置に自由に配置可能である。
【００１６】
取付けのためには、ケーブル導管４は、家具本体２の裏壁３の内部又は外部に固定することができ、これには、ねじを使用できるが、接着剤も使用可能である。ケーブル導管４には、孔のパターンが設けられ、これを使用して、個々のケーブル６を所望の高さにて家具本体２の内部に導く。裏壁３は、所望の孔の位置にドリルで孔開けしなければならず、ケーブル導管４の孔のパターンを、ドリル開けのテンプレートとして使用することができる。
【００１７】
ケーブル導管４のブッシング５は、丸めることができ、電気ケーブル６は、受容できないほど激しくはゆがむことがない。
【００１８】
取付けのすべては、家具１を壁から遠ざけて動かして、気楽に実行されることができる。接続ケーブル１１は、ケーブル緊張具１０から引き出されることができ、対応する壁ソケットに差し込まれる。ケーブル緊張具１０は、接続ケーブル１１を緊張下に保持する。次に、家具１は、壁の所望の位置に押し付けることができ、ケーブル緊張具１０は、接続ケーブル１１を所望の長さにもたらすことを確保する。ケーブル緊張具１０に代えて、ばねの片端を家具本体に固定し、他端を接続ケーブルに結合してもよく、接続ケーブル１１は、ばねを介して、緊張して保持することができる。
【００１９】
図２Ａ及び図２Ｂは、変圧器９をケーブル緊張具１０に結合するための可能な設計を示している。両方の要素は、プラスチックで作られたハウジングを有することができ、これには、蟻溝結合１４が設けられ、ケーブル緊張具１０は、変圧器９に押し入れられて、そこに保持され、さらに別の取付具を要することはない。
【００２０】
また、変圧器９と分配器８との間の取付けは、対応する摺動、受金具、又は、クランプ結合を介して実行することができる。
【００２１】
図３は、図１から変更した実施形態によるケーブル導管４’を示しており、これもまた、ブッシング５を有し、ケーブル導管４’には追加的に横方向の溝部１５が設けられ、溝部には、家具本体２の板状の裏壁３’が挿入されている。従って、裏壁３’は、２つに分割して形成され、ドリルの孔開けの次工程は必要ではない。ケーブル６は、家具本体２の内部に、直接導くことが可能である。視覚的な理由から、ブッシング５には、カバーキャップを設けることができ、キャップは、ケーブル６が通される箇所だけにおいて取り外される。
【００２２】
図４Ａ及び図４Ｂは、変更された設計の偏向ユニット１２’であって、裏壁に固定されるのではなく、むしろソケット１７に固定されるものを示している。偏向具１２’は、ねじ又はその他の取付具を使用して、ソケットに固定され、偏向ロール１６を備えており、電気接続ケーブル１１は、異なる方向へ導かれることができ、接続ケーブル１１はゆがむことがない。
【００２３】
図５は、さらに別の実施形態による家具を示しており、ケーブル導管２０は、家具本体２の裏壁３”の縁部に配置されている。正確な位置決めのために、ケーブル導管２０は、ブラケット形状の突起部２１を有し、これは、家具本体の側壁の溝部に係合する。突起部２１とは反対側の側部において、ケーブル導管２０は溝部２２を有し、その中に裏壁３”が挿入される。ブラケット２３は、突起部２１に対して垂直に配置され、接続ケーブル１１を案内するために、ケーブル導管２０に配置され、接続ケーブル１１は、ブラケット２３と家具本体２の側壁との間の溝付き受け具２４に保持される。接続ケーブルを固定するために、クランプ又はその他の保持具が設けられる。さらに、ケーブル導管２０は、前述した例示的な実施形態のように、ブッシングを有することもできる。
【００２４】
ケーブル導管４，４’，又は２０は、それぞれカバーを有することができ、これは、受金具を介して固定することができ、又は、ピボット可能に設けてることもできる。従って、ケーブル導管４，４’，又は２０に配置されたケーブルは、一方においては保護され、他方においては固定される。
【図面の簡単な説明】
【００２５】
【図１】本発明の例示的な実施形態による家具を示した斜視図である。
【図２Ａ】図１の家具における、変圧器とケーブル緊張具とを示す図である。
【図２Ｂ】図１の家具における、変圧器とケーブル緊張具とを示す図である。
【図３】変形例による例示的な実施形態を示した詳細斜視図である。
【図４Ａ】変形例による偏向ユニットを示す図である。
【図４Ｂ】変形例による偏向ユニットを示す図である。
【図５】更に変形された例示的な実施形態を示している。
【図１】
0005526358.tif 000002
【図２Ａ】
0005526358.tif 000003
【図２Ｂ】
0005526358.tif 000004
【図３】
0005526358.tif 000005
【図４Ａ】
0005526358.tif 000006
【図４Ｂ】
0005526358.tif 000007
【図５】
0005526358.tif 000008